(57)【要約】【課題】取付場所にとらわれず、使用者の意思で簡易に着脱することができ、施工性及びメンテ性を向上したスライドバーを提供しようとするものである。また、使用者の好みに応じてどのような向き（たとえば、縦方向及び横方向）にも配置することが可能とする事ができるスライドバーを提供する事を目的とする。【解決手段】シャワーヘッドを保持するハンガー部をスライド自在に装着したスライドバーの固定部を壁に取外自在の可動式にしたスライドバーとした。さらに、固定部を吸盤にした。【選択図】  図１
2004278088.tif 000002
【特許請求の範囲】
【請求項１】
シャワーヘッドを保持するハンガー部をスライド自在に装着したスライドバーの固定部を壁に取外自在の可動式にした事を特徴とするスライドバー。
【請求項２】
請求項１のスライドバーにおいて、固定部を吸盤にした事を特徴とするスライドバー。
【請求項３】
請求項２のスライドバーにおいて、壁面に吸着させる弾性材料よりなる椀形状の吸盤の上面外周縁に吸盤カバー基部を当接させた状態で吸盤とは直角な方向にボルトを介して操作部をねじ込んでいくことで、吸盤を引張り壁面及び吸盤間に形成される空間の空気を吸い取り、吸盤の中央部に吸着力を発生させるように構成し、その先に操作部と一体成形した円柱形状からなる先端を球形状とし、そしてスライドバー側の部品を前記一体成形した操作部が入るような形に切り欠いた連結部品に挿入し、固定部を自由自在に可動する事を特徴とするスライドバー。
【請求項４】
請求項１乃至３のいずれか１つのスライドバーにおいて、ハンガー部をスライド機構部に対して３６０°回転可能な回転機構を設けた事を特徴としたスライドバー。
【発明の詳細な説明】
【０００１】
【発明の属する技術分野】
本発明は、浴室に取付けるシャワーヘッドを保持するハンガー部付のスライドバーに関するものである。
【０００２】
【従来の技術】
従来より、浴室における壁面の適当な高さの位置に、シャワーヘッドを保持するハンガー部、或いは壁面の一部にシャワーヘッドを保持するハンガー部付スライドバーが取付けられているものは、図６で示されるように知られている。
（たとえば、特許文献１を参照のこと）
【０００３】
【特許文献１】
特開２００２−１７５９９公報
【０００４】
【発明が解決しようとする課題】
しかしながら、これらのスライドバーにおいては、壁，天井，カウンターなどに取付できるがいづれもビスで固定している為、取付箇所が限定されており、容易には取付箇所を変更することはできず、また、一度取り外すとその穴は再使用できない。
また、壁に取付ける場合，天井，カウンターに取付ける場合など取付箇所がことなるような場合には、それぞれに合う固定部材を準備しなければならなかった。
【０００５】
本発明は、上記問題点の解決を目的とするものであり、取付場所にとらわれず、使用者の意思で簡易に着脱することができ、施工性及びメンテ性を向上したスライドバーを提供しようとするものである。
また、使用者の好みに応じてどのような向き（たとえば、縦方向及び横方向）にも配置することが可能とする事ができるスライドバーを提供する事を目的とする。
【０００６】
【課題を解決するための手段】
上記目的を達成するために、請求項１の発明では、シャワーヘッドを保持するハンガー部をスライド自在に装着したスライドバーの固定部を壁に取外自在の可動式にした事を特徴とするスライドバーとした。
【０００７】
これにより、取付面を壁，カウンター，天井など取付場所にとらわれる事なくどこへでも取付ける事ができる。したがって、たとえば、取付けたい壁面に棚などがあり、スペース的に余裕がないところでも他のもう１つの壁面を利用し、固定部だけの面積があれば取付可能であり、今までにない利用ができる。（図４（ｃ）参照）
【０００８】
請求項２の発明では、請求項１のスライドバーにおいて、固定部を吸盤にした事を特徴とするスライドバーとした。
【０００９】
これにより、固定部材を準備する事なく、取付場所にビス穴を開けずに取付ける事ができる。また、施工性やメンテ性も向上する。したがって、賃貸住宅などで浴室に穴を開けられない場合でも、容易に使用できる。また、取付場所を間違った際や将来取付場所を変更する場合でも即座に壁を傷つけることなく、再使用が可能である。
【００１０】
請求項３の発明では、請求項２のスライドバーにおいて、壁面に吸着させる弾性材料よりなる椀形状の吸盤の上面外周縁に吸盤カバー基部を当接させた状態で吸盤とは直角な方向にボルトを介して操作部をねじ込んでいくことで、吸盤を引張り壁面及び吸盤間に形成される空間の空気を吸い取り、吸盤の中央部に吸着力を発生させるように構成し、その先に操作部と一体成形した円柱形状からなる先端を球形状とし、そしてスライドバー側の部品を前記一体成形した操作部が入るような形に切り欠いた連結部品に挿入し、固定部を自由自在に可動する事を特徴とするスライドバーとした。
【００１１】
これにより、固定部を回転させて向きを変えて壁面に吸盤を用いて固定することができるので所望の向きにスライドバーを配置する事ができる。
特に、吸盤の吸着力を向上させるために操作部をねじ込む仕様としているので、どのような向きにスライドバーが配置されたとしても、スライドバーが干渉して操作部を操作することができないことがない。そのため、確実に吸着力を高めてスライドバーを固定することが可能である。
【００１２】
請求項４の発明では、請求項１乃至３のいずれか１つのスライドバーにおいて、ハンガー部をスライド機構部に対して３６０°回転可能な回転機構を設けた事を特徴としたスライドバーとした。
【００１３】
これにより、スライドバーを縦方向，横方向、どのような向きに配置しても、ハンガー部を回転させることで上下方向に位置させてシャワーヘッドを所望の向きに係止する事ができる。
【００１４】
【発明の実施の形態】
本発明のスライドバーは、スライドバーの下端部をカウンター或いは壁面に、スライドバーの上端部を天井或いは壁に取付ける場合と、スライドバーの上端部、下端部が、それぞれ壁面に横向きに取付ける場合のいずれにも容易に対応することが可能なスライドバーである。
以下に、本発明の実施の形態について図に基づきより具体的に説明する。
【００１５】
図１は本発明のスライドバーの構造を示す側面図で、下端部を壁に上端部を天井に取付けた場合を示している。
このスライドバーは、少なくとも、先端にハンガー部１３を接続したスライド機構部１２とスライドバー３とスライドバー３を取付けるための可動式の固定部（２ヶ所）と、固定部を支えるスライドバー３内に圧入している操作部を連結する連結部品１１とで構成されている。
【００１６】
次に、固定部について説明する。
図７に示すように、吸盤７に吸盤とは直角に取付けられたボルト９を介して操作部１０をねじ込んでいくことで、吸盤７に当接している吸盤カバー基部８が引張られる。そうすることにより、吸盤７と壁面間が真空になり、吸盤７の中央部に吸着力を発生させるように構成している。
【００１７】
次にスライドバーに対して固定部を取り付ける方法を説明する。
スライドバーへ固定部を取付ける際は、スライドバー３内の操作部を連結する連結部品１１の形状にそってスライドバーに対して固定部を直角に挿入させる。（両端共、取付方法は同じ）
図５はスライドバー側に設ける操作部を連結する連結部品１１である。スライドバー３へは圧入にて接着されている。
この固定部の操作部と一体成形した円柱形状からなる先端を球形状とし、この球形状の先端を連結する連結部品は、固定部の動きを自在にさせるように切り欠きを設けている。具体的には、連結部品１１をスライドバー３側の長手方向に操作部形状を切り欠き、また施工誤差の吸収及びメンテ性アップのため、反対側にも切欠きを設けている。
より具体的には、操作部と一体成形した円柱形状からなる先端を球形状とし、そしてスライドバー側の部品を前記一体成形した操作部が入るような形に切り欠いた連結部品に挿入し、固定部を自由自在に可動する事ができる。
【００１８】
次に、ハンガー部１３を接続したスライド機構部１２をスライドバー３に対して、スライドさせる方法を説明する。
スライド機構部１２は固定金具１５を手で緩めることにより、固定ブッシュ１６のスライドバー３への抑えを解除させることで、移動が可能になる。スライド機構部１２を使用者の好みの位置までスライドさせ、位置が決まれば固定金具１５を手で締付けて、スライド機構部１２を固定させる。任意の位置での使用が可能である。
【００１９】
次に、ハンガー部１３をスライド機構部１２に対して、回転させる方法を説明する。
ハンガー部１３は、ハンガー部１３に設けたスプラインとスライド機構部１２に設けたスプラインとが嵌合され、かつ、この嵌合を維持するようにスライド機構部１２から遠ざかる方向へばね１４などの付勢手段の付勢力で押圧されて、所定の角度で保持されている。
そして、ハンガー部１３を回転させるためには、ハンガー部１３をスライド機構部１２側へばね１４の付勢力よりも強い力で押すことにより、嵌合していたスプラインが解除され、回転可能のフリー状態になる。そこで任意の方向へ回し、手を離して再度スプラインを嵌合してばね１４の付勢力により押圧されて所定の角度で固定される。尚、ハンガー部１３は付勢力によりスライド機構部１２内の突起に爪が引っ掛り固定されている。
【００２０】
図２は本発明の浴室の内部を示す斜視図で、壁面１に沿ってカウンター２が設けられており、スライドバー３の下端部は、該カウンター２の上面で支持され、天井まで伸びたスライドバー３は、壁面１により支持されている。
【００２１】
図３は、本願発明のスライドバー３の取り付け方を示す側面図である。
図３（ａ）は、カウンター２の上面と天井４によりスライドバー３は支持されており、該スライドバーにはシャワーヘッド５がスライド自在に取付けられているので、カウンター２前で洗髪した時、座ったままシャワーを使用することができ、又身体を洗った後もそのままでシャワーを浴びることができる。
【００２２】
図３（ｂ）は、カウンター２上面と壁面１によりスライドバーは支持されており、壁面への取付けは、固定部をスライドバーに対して直角に、カウンターへはスライドバーに対し、一直線上に固定される形となる。該スライドバー２には、上記実施例と同様シャワーヘッド５がスライド自在に取付けられる。
【００２３】
図３（ｃ）はカウンターの無い場合の実施例が示されており、スライドバー３の下端部は壁面１で、スライドバー３の上端部は天井４によりスライドバーは支持されている。取付方法は、スライドバーと一直線上に延ばした固定部を天井へ取付け、下側の固定部をスライドバーに対し、９０°回転させ、壁へ取付ける。
【００２４】
図３（ｄ）は上端，下端をそれぞれ壁面１に取付けることにより、スライドバーは支持されている。
【００２５】
次に、図４には、本願発明のスライドバー３の他の取り付け方を示す図である。図４（ａ）は鏡の上をよけて取付けた場合の実施例が示されており、スライドバーの固定部の吸盤を回転させて、スライドバーを横向きに取付けている。またハンガー部は３６０°の回転式により横向きにも対応している。
【００２６】
図４（ｂ）は２つの壁面を利用し、スライドバーを取付けた場合を示している。こうした取付け方により、スライドバーのレイアウト、バリエーションも豊富なものとなり、浴室ライフを楽しむ事ができる。またスライドハンガーを端によければ、タオル掛け等としても使用することができる。
【００２７】
【発明の効果】
以上の構成とすることで、取付場所にとらわれず、スライドバーの固定を可動式の吸盤にすることで、ビス止めを行うことなく簡易に着脱でき、施工性及びメンテ性を向上したスライドバーを提供することができる。さらにハンガー保持部を回転させる事により、スライドバーを縦方向及び横方向、斜め方向、どのような方向にも取付も可能とする事ができるスライドバーを提供する事ができる。
【図面の簡単な説明】
【図１】本件発明のスライドバーの構造を示す断面図である。
【図２】本件発明の実施の形態である斜視図を示す。
【図３】スライドバーの取付け方の実施例を示す側面図である。
【図４】スライドバーの取付け方の実施例を示す側面図である。
【図５】固定部を挿入するスライドバー側の部品である。
【図６】固定部の拡大図を示す。
【図７】従来技術の浴室内を示す斜視図である。
【符号の説明】
１    壁面
２    カウンター
３    スライドバー
４    天井
５    シャワーヘッド
６    鏡
７    吸盤
８    吸盤カバー基部
９    ボルト
１０  操作部
１１  連結部品
１２  スライド機構部
１３  ハンガー部
１４  ばね
１５  固定金具
１６  固定ブッシュ
【図１】
2004278088.tif 000003
【図２】
2004278088.tif 000004
【図３】
2004278088.tif 000005
【図４】
2004278088.tif 000006
【図５】
2004278088.tif 000007
【図６】
2004278088.tif 000008
【図７】
2004278088.tif 000009